【手続補正書】
【提出日】平成26年1月27日(2014.1.27)
【手続補正１】
【補正対象書類名】特許請求の範囲
【補正対象項目名】全文
【補正方法】変更
【補正の内容】
【特許請求の範囲】
【請求項１】
遊技機に１対１に対応して設けられ、
遊技者に対して発行され当該遊技者の所有する遊技用価値の大きさを特定可能な遊技用価値特定情報が記録された遊技用記録媒体を受け付ける遊技用記録媒体受付手段と、
該遊技用記録媒体受付手段にて受け付けた遊技用記録媒体に記録されている遊技用価値特定情報から特定される遊技用価値の大きさに基づいて遊技媒体を遊技者に貸与するための貸与処理を行う貸与処理手段と、
遊技媒体を計数して取り込む計数手段と、
該計数手段にて計数した計数遊技媒体数の範囲内の遊技媒体を払い出して遊技者に返却するための払出処理を行う払出処理手段と、
前記遊技用記録媒体受付手段にて受け付けた遊技用記録媒体を遊技者に返却するための返却操作を受け付けたことに基づいて、前記計数遊技媒体数を特定可能とした当該遊技用記録媒体を返却する返却処理を行う返却処理手段と、を有し、
該返却処理手段は、
前記遊技用価値特定情報から特定される遊技用価値の大きさが零でない場合に、前記返却処理を行い、
前記遊技用価値特定情報から特定される遊技用価値の大きさが零であり、かつ前記計数遊技媒体数が零である場合には、前記返却処理を行わない遊技用装置であって、
前記返却操作を受け付けたことに基づき、前記遊技用価値特定情報から特定される遊技用価値の大きさが零であり、かつ前記計数遊技媒体数が所定の遊技媒体数より少ない特定数である場合には、当該特定数の遊技媒体を払い出すための払出処理を行い、前記返却処理を行わず、
営業終了に際して送信される営業終了時処理要求を受信したことに基づいて、前記計数手段による計数を無効とすることを特徴とする遊技用装置。
【請求項２】
外部からの払出信号の入力により払出単位として予め定められた複数個の遊技媒体を遊技者に対して払い出す遊技機に１対１に対応して設けられ、
遊技者に対して発行され当該遊技者の所有する遊技用価値の大きさを特定可能な遊技用価値特定情報が記録された遊技用記録媒体を受け付ける遊技用記録媒体受付手段と、
前記払出信号を出力することにより、該遊技用記録媒体受付手段にて受け付けた遊技用記録媒体に記録されている遊技用価値特定情報から特定される遊技用価値の大きさに基づいて前記払出単位の遊技媒体を前記対応する遊技機から払い出して遊技者に貸与するための貸与処理を行う貸与処理手段と、
遊技媒体を計数して取り込む計数手段と、
前記払出信号を出力することにより、該計数手段にて計数した計数遊技媒体数の範囲内で前記払出単位の遊技媒体を前記対応する遊技機から払い出して遊技者に返却するための単位払出処理を行う単位払出処理手段と、
前記計数遊技媒体数の範囲内で前記払出単位より少ない単位未満端数の遊技媒体を払い出して遊技者に返却する単位未満払出処理を行う単位未満払出処理手段と、
前記遊技用記録媒体受付手段にて受け付けた遊技用記録媒体を遊技者に返却するための返却操作を受け付けたことに基づいて、前記計数遊技媒体数を特定可能とした当該遊技用記録媒体を返却する返却処理を行う返却処理手段と、を有し、
該返却処理手段は、
前記遊技用価値特定情報から特定される遊技用価値の大きさが零でない場合に、前記返却処理を行い、
前記遊技用価値特定情報から特定される遊技用価値の大きさが零であり、かつ前記計数遊技媒体数が零である場合には、前記返却処理を行わない遊技用装置であって、
前記返却操作を受け付けたことに基づき、前記遊技用価値特定情報から特定される遊技用価値の大きさが零であり、かつ前記計数遊技媒体数が前記単位未満端数である場合には、該単位未満端数の遊技媒体を払い出すための前記単位未満払出処理を行い、前記返却処理を行わず、
営業終了に際して送信される営業終了時処理要求を受信したことに基づいて、前記計数手段による計数を無効とすることを特徴とする遊技用装置。
【手続補正２】
【補正対象書類名】明細書
【補正対象項目名】０００１
【補正方法】変更
【補正の内容】
【０００１】
本発明は、遊技機に１対１に対応して設けられ、遊技用記録媒体を受け付け、該受け付けた遊技用記録媒体に記録されている遊技用価値特定情報から特定される遊技用価値の大きさに基づいて遊技媒体を遊技者に貸与するための貸与処理を行い、遊技媒体を計数し、該計数した計数遊技媒体数の範囲内の遊技媒体を払い出して遊技者に返却するための払出処理を行い、返却操作を受け付けたことに基づいて、前記計数遊技媒体数を特定可能とした遊技用記録媒体を返却する返却処理を行う遊技用装置に関する。
【手続補正３】
【補正対象書類名】明細書
【補正対象項目名】０００２
【補正方法】変更
【補正の内容】
【０００２】
近年、遊技者が獲得した遊技球を計数機に運ぶ手間を低減するとともに、遊技場において必要とされる遊技球数を削減すること等を目的として、特許文献１に示すように、遊技機に１対１に対応して計数装置を設けて、該遊技機での遊技により獲得した遊技球を計数して取り込み、該遊技機に１対１に対応して設けられ、プリペイド残額を特定可能な情報が記録された遊技用記録媒体を受け付けて、該情報から特定されるプリペイド残額に基づいて遊技球を遊技者に貸与するための貸与処理を行う遊技用装置において、遊技者より払出操作を受け付けたことに基づいて、前記計数した計数球数の範囲内の遊技球を払い出して遊技者に返却する払出処理を行うとともに、遊技者より返却操作を受け付けたことに基づいて、前記遊技用記録媒体に前記計数玉数を記録して遊技者に返却する返却処理を行うものが知られている。
【手続補正４】
【補正対象書類名】明細書
【補正対象項目名】０００３
【補正方法】削除
【補正の内容】
【手続補正５】
【補正対象書類名】明細書
【補正対象項目名】０００４
【補正方法】変更
【補正の内容】
【０００４】
【特許文献１】特開２００２−１４３５４１号公報
【手続補正６】
【補正対象書類名】明細書
【補正対象項目名】０００５
【補正方法】変更
【補正の内容】
【０００５】
しかしながら、上記の特許文献１に示した遊技用装置においては、前記計数球数が比較的少数である場合（例えば計数球数が、所定の景品と交換するための交換球数未満の交換未満端数である場合や、予め定められた払出単位未満の単位未満端数である場合）であっても、該比較的少数の計数球数が記録された遊技用記録媒体が返却されるので、ＩＣチップ等が搭載されていて高価な当該遊技用記録媒体がいたずらに捨てられると、遊技場の損失が大きいという問題があった。
【手続補正７】
【補正対象書類名】明細書
【補正対象項目名】０００６
【補正方法】削除
【補正の内容】
【手続補正８】
【補正対象書類名】明細書
【補正対象項目名】０００７
【補正方法】削除
【補正の内容】
【手続補正９】
【補正対象書類名】明細書
【補正対象項目名】０００８
【補正方法】変更
【補正の内容】
【０００８】
本発明は、このような背景のもとになされたものであり、その目的は、遊技用記録媒体がいたずらに捨てられることによる遊技場の損失を防止できるような、遊技用装置を提供することにある。
【手続補正１０】
【補正対象書類名】明細書
【補正対象項目名】０００９
【補正方法】変更
【補正の内容】
【０００９】
本発明は、前記課題を解決するために、次のような手段を採る。なお後述する発明を実施するための最良の形態の説明及び図面で使用した符号を参考のために括弧書きで付記するが、本発明の構成要素は該付記したものには限定されない。
まず請求項１に係る発明は、
遊技機に１対１に対応して設けられ、
遊技者に対して発行され当該遊技者の所有する遊技用価値の大きさを特定可能な遊技用価値特定情報が記録された遊技用記録媒体を受け付ける遊技用記録媒体受付手段と、
該遊技用記録媒体受付手段にて受け付けた遊技用記録媒体に記録されている遊技用価値特定情報から特定される遊技用価値の大きさに基づいて遊技媒体を遊技者に貸与するための貸与処理を行う貸与処理手段と、
遊技媒体を計数して取り込む計数手段と、
該計数手段にて計数した計数遊技媒体数の範囲内の遊技媒体を払い出して遊技者に返却するための払出処理を行う払出処理手段と、
前記遊技用記録媒体受付手段にて受け付けた遊技用記録媒体を遊技者に返却するための返却操作を受け付けたことに基づいて、前記計数遊技媒体数を特定可能とした当該遊技用記録媒体を返却する返却処理を行う返却処理手段と、を有し、
該返却処理手段は、
前記遊技用価値特定情報から特定される遊技用価値の大きさが零でない場合に、前記返却処理を行い、
前記遊技用価値特定情報から特定される遊技用価値の大きさが零であり、かつ前記計数遊技媒体数が零である場合には、前記返却処理を行わない遊技用装置であって、
前記返却操作を受け付けたことに基づき、前記遊技用価値特定情報から特定される遊技用価値の大きさが零であり、かつ前記計数遊技媒体数が所定の遊技媒体数より少ない特定数である場合には、当該特定数の遊技媒体を払い出すための払出処理を行い、前記返却処理を行わず、
営業終了に際して送信される営業終了時処理要求を受信したことに基づいて、前記計数手段による計数を無効とすることを特徴とする遊技用装置である。
この請求項１に係る遊技用装置によれば、遊技用価値の大きさが零であり、かつ計数遊技媒体数が所定の遊技媒体数より少ない特定数である場合には、遊技用記録媒体を返却しないので、少ない計数遊技媒体数を特定可能な遊技用記録媒体が返却されて捨てられることによる遊技場の損失を防止できる。
また請求項２に係る発明は、
外部からの払出信号の入力により払出単位として予め定められた複数個の遊技媒体を遊技者に対して払い出す遊技機に１対１に対応して設けられ、
遊技者に対して発行され当該遊技者の所有する遊技用価値の大きさを特定可能な遊技用価値特定情報が記録された遊技用記録媒体を受け付ける遊技用記録媒体受付手段と、
前記払出信号を出力することにより、該遊技用記録媒体受付手段にて受け付けた遊技用記録媒体に記録されている遊技用価値特定情報から特定される遊技用価値の大きさに基づいて前記払出単位の遊技媒体を前記対応する遊技機から払い出して遊技者に貸与するための貸与処理を行う貸与処理手段と、
遊技媒体を計数して取り込む計数手段と、
前記払出信号を出力することにより、該計数手段にて計数した計数遊技媒体数の範囲内で前記払出単位の遊技媒体を前記対応する遊技機から払い出して遊技者に返却するための単位払出処理を行う単位払出処理手段と、
前記計数遊技媒体数の範囲内で前記払出単位より少ない単位未満端数の遊技媒体を払い出して遊技者に返却する単位未満払出処理を行う単位未満払出処理手段と、
前記遊技用記録媒体受付手段にて受け付けた遊技用記録媒体を遊技者に返却するための返却操作を受け付けたことに基づいて、前記計数遊技媒体数を特定可能とした当該遊技用記録媒体を返却する返却処理を行う返却処理手段と、を有し、
該返却処理手段は、
前記遊技用価値特定情報から特定される遊技用価値の大きさが零でない場合に、前記返却処理を行い、
前記遊技用価値特定情報から特定される遊技用価値の大きさが零であり、かつ前記計数遊技媒体数が零である場合には、前記返却処理を行わない遊技用装置であって、
前記返却操作を受け付けたことに基づき、前記遊技用価値特定情報から特定される遊技用価値の大きさが零であり、かつ前記計数遊技媒体数が前記単位未満端数である場合には、該単位未満端数の遊技媒体を払い出すための前記単位未満払出処理を行い、前記返却処理を行わず、
営業終了に際して送信される営業終了時処理要求を受信したことに基づいて、前記計数手段による計数を無効とすることを特徴とする遊技用装置である。
この請求項２に係る遊技用装置によれば、遊技用価値の大きさが零であり、かつ計数遊技媒体数が単位未満端数である場合には、遊技用記録媒体を返却しないので、少ない計数遊技媒体数を特定可能な遊技用記録媒体が返却されて捨てられることによる遊技場の損失を防止できる。
【手続補正１１】
【補正対象書類名】明細書
【補正対象項目名】００１０
【補正方法】変更
【補正の内容】
【００１０】
また本願は、以下の発明を含む。
まず手段１に係る発明は、
遊技島に配置される遊技機（パチンコ機１０）に対応して設けられ、
遊技者が獲得した遊技媒体（パチンコ玉）を受け入れて計数し、該計数した遊技媒体を前記遊技島に取り込む計数手段（玉カウンタ３５）を有する計数部（３０）と、
前記対応する遊技機と通信することにより、遊技者が所有する遊技用価値の大きさ（プリペイド残額）に相当する遊技媒体を該遊技機から払い出して貸与するための貸与処理（Ｓａ１２の玉貸処理）を行う貸与処理手段（玉貸発券制御部２２）と、前記計数手段が計数した計数遊技媒体数（計数玉数）を記憶する計数記憶手段（カードテーブル）と、該計数記憶手段が記憶している計数遊技媒体数の範囲内で遊技媒体を払い出すための払出処理（Ｓａ１４の玉貸処理）を行う払出処理手段（玉貸発券制御部２２）と、前記計数記憶手段が記憶している計数遊技媒体数を特定可能な計数遊技媒体数特定情報（カードＩＤ）が記録された遊技用記録媒体（会員カード２，ビジタカード３）を排出する排出処理（Ｓａ１７のカード返却処理）を行う排出処理手段（玉貸発券制御部２２）とを有する制御部（玉貸発券処理部２０）と、を備え、
前記計数部と前記制御部とが通信可能な遊技用装置（各台計数ユニット５０）であって、
前記計数部は、
前記計数手段による計数に関する異常を判定する計数異常判定手段（計数制御部３１）と、
前記計数手段により計数された遊技媒体数（計数値）を特定可能な計数情報（動作指示応答）を前記制御部に対して送信する計数情報送信手段（計数制御部３１）と、をさらに有し、
前記制御部は、
前記計数情報送信手段から送信されてくる計数情報を受信する計数情報受信手段（玉貸発券制御部２２）と、
該計数情報受信手段が受信した計数情報から特定される遊技媒体数に基づいて異常を判定する遊技媒体数異常判定手段（玉貸発券制御部２２）と、をさらに有し、
前記遊技用装置は、
前記計数異常判定手段により異常判定されたことに基づいて、異常がある旨の報知を行うための計数異常報知処理（Ｓ３０２，Ｓ３０４，Ｓ３５４）を行う計数異常報知処理手段（計数制御部３１）と、
前記遊技媒体数異常判定手段により異常判定されたことに基づいて、異常がある旨の報知を行うための遊技媒体数異常報知処理（Ｓ４０２）を行う遊技媒体数異常報知処理手段（玉貸発券制御部２２）と、
営業終了に際して送信される営業終了時処理要求（締め処理信号）を受信する（Ｓｎ０１）通信手段（場内通信部２１ｂ，玉貸発券制御部２２）と、をさらに備え、
前記計数部は、該営業終了時処理要求を受信したこと（Ｓｎ０１でＹＥＳ）に基づいて、当該受信以降において、前記計数手段により受け入れた遊技媒体の前記計数遊技媒体数としての計数は行わずに前記遊技島に取り込む無効取込処理（Ｓｎ３４）を行う無効取込処理手段（計数制御部３１，玉貸発券制御部２２）をさらに有することを特徴とする遊技用装置である。
この手段１に係る遊技用装置によれば、営業終了時処理要求を受信したことに基づいて、該営業終了時処理要求の受信後に受け入れた遊技媒体の計数遊技媒体数としての計数は行わずに各遊技機の位置で遊技島に取り込ませることができるので、店員の作業負担を軽減できる。また計数部における計数に関する異常を監視できると共に、計数部から制御部に送信される計数情報から特定される遊技媒体数の該制御部における異常を監視できるので、前者の監視のみを行う場合に比べて、当該遊技用装置で行われる計数に伴う異常をより正確に監視できる。
【手続補正１２】
【補正対象書類名】明細書
【補正対象項目名】００１１
【補正方法】変更
【補正の内容】
【００１１】
また手段２に係る発明は、
手段１に記載した遊技用装置（各台計数ユニット５０）であって、
前記無効取込処理手段（計数制御部３１，玉貸発券制御部２２）は、前記営業終了時処理要求（締め処理信号）を受信したこと（Ｓｎ０１でＹＥＳ）に基づいて、当該受信以降において、前記計数手段（玉カウンタ３５）により受け入れた遊技媒体（パチンコ玉）を無効遊技媒体数（無効計数玉数）として計数して前記遊技島に取り込むと共に該計数した無効遊技媒体数を記憶する処理（Ｓｎ３４）を、前記無効取込処理として行い、
前記制御部（玉貸発券処理部２０）は、前記記憶している無効遊技媒体数を集計させるために当該無効遊技媒体数を示す集計情報を出力する（Ｓｎ３５）出力手段（場内通信部２１ｂ，玉貸発券制御部２２）をさらに有することを特徴とする遊技用装置である。
この手段２に係る遊技用装置によれば、遊技用装置が営業終了時処理要求を受信したことに基づいて、該営業終了時処理要求の受信後に受け入れた遊技媒体を無効遊技媒体数として計数して記憶し、該無効遊技媒体数を示す集計情報を出力するので、該集計情報に基づいて無効遊技媒体数を正確に把握して、利益を集計できる。
【手続補正１３】
【補正対象書類名】明細書
【補正対象項目名】００１２
【補正方法】変更
【補正の内容】
【００１２】
また手段３に係る発明は、
手段１又は２に記載した遊技用装置（各台計数ユニット５０）であって、
前記計数手段（玉カウンタ３５）への遊技媒体（パチンコ玉）の受入を可能又は不可能とするシャッタ部材（シャッタ３３）と、
遊技媒体の受入を可能な受入可能状態（開放状態）又は遊技媒体の受入を不可能な受入不可能状態（閉鎖状態）に前記シャッタ部材を制御するシャッタ制御手段（計数制御部３１）と、をさらに有し、
該シャッタ制御手段は、予め定められた計数禁止条件（ストックカード無し，カード受付無し，暗証番号未入力，メンテナンス中，エラー中等）が成立したことに基づいて、前記シャッタ部材を受入不可能状態に制御すると共に、前記営業終了時処理要求を受信したことに基づいて、前記計数禁止条件が成立しているか否かに関わらず、前記シャッタ部材を受入可能状態に制御し（Ｓｎ３１）、
前記シャッタ部材は、遊技用装置の電源がオフになったことに基づいて、遊技媒体の受入を不可能な受入不可能状態になる（例えば、閉鎖方向に付勢されており、ソレノイドの励磁により開放されているシャッタ３３が、電源オフによりソレノイドの励磁が無くなって、付勢力により閉鎖される）ことを特徴とする遊技用装置である。
この手段３に係る遊技用装置によれば、営業終了時処理要求を受信したことに基づいて、計数禁止条件が成立しているか否かに関わらず、シャッタ部材が受入可能状態に制御されるので、営業終了時処理要求の受信後に受け入れた遊技媒体を計数遊技媒体数として計数することなく、各遊技機の位置で遊技島に取り込ませることができると共に、電源オフでシャッタ部材が受入不能状態になるので、閉店後における電断時や営業中における停電時の計数を防止できる。
【手続補正１４】
【補正対象書類名】明細書
【補正対象項目名】００１３
【補正方法】変更
【補正の内容】
【００１３】
また手段４に係る発明は、
手段１〜３のいずれか１つに記載した遊技用装置（各台計数ユニット５０）であって、
前記営業終了時処理要求（締め処理信号）を受信したこと（Ｓｎ０１でＹＥＳ）に基づいて、前記計数記憶手段で記憶している計数遊技媒体数（計数玉数）が有ること（Ｓｎ２１でＹＥＳ）を条件として、前記排出処理（Ｓａ１７のカード返却処理）を行うことなく、該計数遊技媒体数を無効とするための無効化処理（Ｓｎ２２）を行う無効化処理手段（玉貸発券制御部２２）をさらに有することを特徴とする遊技用装置である。
この手段４に係る遊技用装置によれば、営業終了に際して営業終了時処理要求を送信するのみで、計数手段が計数して記憶された計数遊技媒体数を特定可能な計数遊技媒体数特定情報が記録された遊技用記録媒体を排出することなく、該計数遊技媒体数が無効とされるので、遊技用装置から排出されたカードを巡回探索して回収する必要や、回収したカードをカード処理機に持参して１枚づつ挿入する必要がなく、営業終了時における作業負荷や作業時間を低減することができる。
【手続補正１５】
【補正対象書類名】明細書
【補正対象項目名】００１４
【補正方法】変更
【補正の内容】
【００１４】
また手段５に係る発明は、
手段１〜４のいずれか１つに記載した遊技用装置（各台計数ユニット５０）であって、
前記遊技媒体数異常判定手段（玉貸発券制御部２２）は、前記計数情報受信手段（玉貸発券制御部２２）が受信した計数情報（動作指示応答）から特定される、予め定められた単位時間毎の遊技媒体数の増加量（変動量）が、予め定められた閾値を超えることを条件として、異常を判定することを特徴とする遊技用装置である。
この手段５に係る遊技用装置によれば、単位時間毎の遊技媒体数の増加量が閾値を超える場合に異常と判定して報知を行うので、不正が行われた可能性が高い場合に報知を行うことができる。
【手続補正１６】
【補正対象書類名】明細書
【補正対象項目名】００１５
【補正方法】変更
【補正の内容】
【００１５】
また手段６に係る発明は、
手段５に記載した遊技用装置（各台計数ユニット５０）であって、
前記計数情報送信手段（計数制御部３１）は、前記単位時間毎に前記計数手段（玉カウンタ３５）により計数された遊技媒体数（計数値）を特定可能な前記計数情報（動作指示応答）を前記制御部（玉貸発券処理部２０）に対して送信することを特徴とする遊技用装置である。
この手段６に係る遊技用装置によれば、制御部が、時間の計時を行わなくても、計数部から送信されてくる単位時間毎の遊技媒体数を特定可能な計数情報に基づいて、単位時間毎の遊技媒体数の増加量を特定できるので、該制御部における処理を簡略化できる。
【手続補正１７】
【補正対象書類名】明細書
【補正対象項目名】００１６
【補正方法】変更
【補正の内容】
【００１６】
さらに手段７に係る発明は、
手段１〜６のいずれか１つに記載した遊技用装置（各台計数ユニット５０）であって、
前記計数部（３０）は、
前記計数手段（玉カウンタ３５）により計数された遊技媒体数（計数値）を記憶する遊技媒体数記憶手段（計数制御部３１）と、
前記計数情報送信手段（計数制御部３１）による計数情報（動作指示応答）の送信、及び／又は、該計数情報の送信に伴って前記制御部と計数部とが行う処理が、正常に行われたか否か（Ｓ１２６）を判定する送信判定手段（計数制御部３１）と、
該送信判定手段により正常に行われたと判定されたこと（Ｓ１２６）に基づいて、前記遊技媒体数記憶手段により記憶している遊技媒体数を消去するための遊技媒体数消去処理（Ｓ１２７）を行う遊技媒体数消去処理手段（計数制御部３１）と、をさらに有することを特徴とする遊技用装置である。
この手段７に係る遊技用装置によれば、計数情報の送信及び／又は該計数情報の送信に伴って制御部と計数部とが行う処理が正常に行われたことを条件として、計数部が記憶している遊技媒体数が消去されることにより、計数部は遊技媒体数を常に記憶する必要が無くなるので、該計数部の記憶負担を軽減できる。
【手続補正１８】
【補正対象書類名】明細書
【補正対象項目名】００１７
【補正方法】削除
【補正の内容】
【手続補正１９】
【補正対象書類名】明細書
【補正対象項目名】００１８
【補正方法】削除
【補正の内容】
【手続補正２０】
【補正対象書類名】明細書
【補正対象項目名】００１９
【補正方法】削除
【補正の内容】
【手続補正２１】
【補正対象書類名】明細書
【補正対象項目名】００２０
【補正方法】削除
【補正の内容】
【手続補正２２】
【補正対象書類名】明細書
【補正対象項目名】００２１
【補正方法】削除
【補正の内容】
【手続補正２３】
【補正対象書類名】明細書
【補正対象項目名】００２２
【補正方法】削除
【補正の内容】
【手続補正２４】
【補正対象書類名】明細書
【補正対象項目名】００２３
【補正方法】削除
【補正の内容】